(57)【要約】【課題】安価に製作可能で、しかもスクリーン本体を途中部まで展開させて使用する場合でも、スクリーン本体の両側部に側方への引っ張り力を作用させて平面度を向上可能なスクリーン装置を提供する。【解決手段】左右のサイドテンション手段２０として、スクリーン本体２の側方に上下方向に延びて、一端部が巻取り手段３に巻取り可能に連結される紐状部材２１を設け、紐状部材２１の高さ方向の途中部がスクリーン本体２の中央部側へ湾曲するように、紐状部材２１をスクリーン本体２の側部に連結する連結部材２２を設け、巻取り手段３と保持ロッド５間における紐状部材２１の弛みを弾性により吸収する弛み吸収手段２３を設け、巻取り手段３と保持ロッド５間において紐状部材２１に引っ張り力を作用させて、紐状部材２１及び連結部材２２を介してスクリーン本体２の側部を側方へ引っ張るものを用いた。【選択図】図２
2014006307.tif 000002
【特許請求の範囲】
【請求項１】
柔軟性を有するスクリーン本体と、前記スクリーン本体を上下方向に展開可能に巻き取る巻取り手段と、前記スクリーン本体の繰出側端部に固定した保持ロッドと、前記スクリーン本体の両側部に側方への引っ張り力を作用させる左右１対のサイドテンション手段とを備えたスクリーン装置であって、
前記左右のサイドテンション手段として、前記スクリーン本体の側方に上下方向に延びて、一端部が巻取り手段に巻取り可能に連結される紐状部材を設け、前記紐状部材の高さ方向の途中部が前記スクリーン本体の中央部側へ湾曲するように、前記紐状部材をスクリーン本体の側部に連結する連結部材を設け、前記巻取り手段と保持ロッド間における紐状部材の弛みを弾性により吸収する弛み吸収手段を設け、前記巻取り手段と保持ロッド間において紐状部材に引っ張り力を作用させて、前記紐状部材及び連結部材を介してスクリーン本体の側部を側方へ引っ張るものを用いた、
ことを特徴とするスクリーン装置。
【請求項２】
前記弛み吸収手段として、前記保持ロッドに内装されて、一端部を保持ロッドに連結した付勢手段と、前記付勢手段による保持ロッドの長さ方向外方側への引っ張り力を紐状部材の上下方向への引っ張り力に切り替える切替手段とを備えた請求項１記載のスクリーン装置。
【請求項３】
前記スクリーン本体の繰出側端部の両側端部を側方へ引っ張る左右１対のテンションアジャスト手段であって、前記保持ロッドの端部に螺合した調整ネジと、前記保持ロッドの端部内に左右方向に移動自在に設けた操作部材とを備え、前記操作部材を保持ロッド内に挿入したスクリーン本体の繰出側端部の側端部に連結固定するとともに、前記操作部材を調整ネジに連結し、前記調整ネジの回転操作により、前記スクリーン本体の繰出側端部の側端部を側方へ引っ張る左右１対のテンションアジャスト手段を設け、前記弛み吸収手段として、前記保持ロッドに内装されて、一端部を操作部材及び調整ネジを介して保持ロッドに連結した付勢手段と、前記付勢手段による保持ロッドの長さ方向への引っ張り力を紐状部材の上下方向への引っ張り力に切り替える切替手段とを備えた請求項１又は２記載のスクリーン装置。
【請求項４】
前記切替手段として、前記操作部材に左右方向に移動自在で且つスクリーン本体の巻取り方向へ移動不能にスライド部材を設け、前記スライド部材に紐状部材の他端部を連結するとともに、前記スライド部材に付勢手段の他端部を連結した請求項３記載のスクリーン装置。
【請求項５】
前記紐状部材を長さ調整可能にスライド部材に連結する連結手段を設けた請求項４記載のスクリーン装置。
【発明の詳細な説明】
【技術分野】
【０００１】
本発明は、サイドテンション手段を備えたスクリーン装置に関する。
【背景技術】
【０００２】
反射型のスクリーン装置として、柔軟性を有するスクリーン本体と、前記スクリーン本体を上下方向に展開可能に巻き取る巻取り手段と、前記スクリーン本体の繰出側端部に固定した保持ロッドとを備え、巻取り手段を収容したケーシングを建築物の天井や壁面上部に固定して、スクリーン本体を下側へ繰り出し可能に構成した壁付型スクリーン装置や、巻取り手段を収容したケーシングを床に設置して、スクリーン本体の背面側に配置したパンタグラフ式などの昇降手段にて、スクリーン本体を上側へ繰り出し可能に構成したり、巻取り手段から上側へ繰り出したスクリーン本体を、スクリーン本体の背面側に立設した支持ロッドに支持可能に構成した自立型スクリーン装置が従来から広く実施されている。
【０００３】
ところで、前記壁付型スクリーン装置では、保持ロッドの自重によりスクリーン本体に対して下方への引っ張り力を付与することで、スクリーン本体の上下方向の弛みを防止でき、また自立型スクリーン装置においても、巻取り手段の巻取り力をスクリーン本体に作用させて、スクリーン本体の上下方向の弛みを防止できる。しかし、両スクリーン装置ともに、左右方向に弛みが発生した場合には、スクリーン本体の平面度が低下するという問題があった。
【０００４】
そこで、前記自立型スクリーン装置として、スクリーン本体の両側部に側方への引っ張り力を作用させる左右１対のサイドテンション手段を設け、スクリーン本体の左右方向の弛みを防止して、スクリーン本体の平面度を高めるように構成したスクリーン装置も提案され、実用化されている（例えば、特許文献１、２参照。）。
【０００５】
特許文献１、２に記載のサイドテンション手段では、スクリーン本体の側方に上下方向に延びて、一端部が巻取り手段に巻取り可能に連結される紐状部材を設け、前記紐状部材の高さ方向の途中部が前記スクリーン本体の中央部側へ湾曲するように、前記紐状部材をスクリーン本体の側部に連結する連結部材を設け、スクリーン本体を展開した状態で、紐状部材に引っ張り力が作用するように、紐状部材の長さを調整する調整ネジを備えさせたり、紐状部材に引っ張り力を付与するアクチュエータを備えさせたりして、紐状部材及び連結部材を介してスクリーン本体の側部に側方への引っ張り力を作用させるように構成したものが採用されている。
【０００６】
また、特許文献３には、サイドテンション手段の紐状部材の端部に錘を取り付けて紐状部材に対して引っ張り力を作用させ、紐状部材及び連結部材を介してスクリーン本体の両側部に側方への引っ張り力を作用させるように構成したものも提案されている（例えば、特許文献３参照。）。
【先行技術文献】
【特許文献】
【０００７】
【特許文献１】特開２００９−２２９９１５号公報
【特許文献２】特開２０１１−１２３２３３号公報
【特許文献３】特開２０１２−２２０２９号公報
【発明の概要】
【発明が解決しようとする課題】
【０００８】
ところで、スクリーン装置の使用方法として、スクリーン本体を全開させて使用する場合以外に、スクリーン装置の前側に机などの障害物がある場合には、スクリーン本体を途中まで展開させて使用することがあるが、特許文献１、２記載のように調整ネジで紐状部材の長さを調整する場合には、巻取り手段からのスクリーン本体の巻取り長さが、紐状部材の巻取り長さよりも多少短いことから、途中までスクリーン本体を展開させただけでは、紐状部材が弛んでしまい、スクリーン本体の両側部に側方への引っ張り力を作用させることができないという問題があった。
【０００９】
一方、特許文献１、２記載のスクリーン装置においても、アクチュエータを用いて紐状部材に引っ張り力を作用させる場合には、スクリーン本体を途中まで展開させて使用する場合であっても、アクチュエータにより紐状部材に引っ張り力を作用させて、スクリーン本体の両側部に側方への引っ張り力を作用させることができるが、アクチュエータを左右１対設ける必要があり、その分スクリーン装置の製作コストが高くなるという問題がある。
【００１０】
また、特許文献３記載のスクリーン装置では、紐状部材に対して錘により引っ張り力を作用させるので、スクリーン本体を途中まで展開させて使用する場合であっても、紐状部材に引っ張り力を作用させて、スクリーン本体の両側部に側方への引っ張り力を作用させることができるが、左右１対の錘を設ける必要があり、その分製作コストが高くなったり、スクリーン装置の重量が重たくなったり、スクリーン装置の外観が低下したりするなどの問題がある。
【００１１】
本発明の目的は、安価に製作可能で、しかもスクリーン本体を全開させて使用する場合は云うまでもなく、途中部まで展開させて使用する場合でも、紐状部材に引っ張り力を作用させて、スクリーン本体の両側部に側方への引っ張り力を作用させることが可能なスクリーン装置を提供することである。
【課題を解決するための手段】
【００１２】
本発明に係るスクリーン装置は、柔軟性を有するスクリーン本体と、前記スクリーン本体を上下方向に展開可能に巻き取る巻取り手段と、前記スクリーン本体の繰出側端部に固定した保持ロッドと、前記スクリーン本体の両側部に側方への引っ張り力を作用させる左右１対のサイドテンション手段とを備えたスクリーン装置であって、前記左右のサイドテンション手段として、前記スクリーン本体の側方に上下方向に延びて、一端部が巻取り手段に巻取り可能に連結される紐状部材を設け、前記紐状部材の高さ方向の途中部が前記スクリーン本体の中央部側へ湾曲するように、前記紐状部材をスクリーン本体の側部に連結する連結部材を設け、前記巻取り手段と保持ロッド間における紐状部材の弛みを弾性により吸収する弛み吸収手段を設け、前記巻取り手段と保持ロッド間において紐状部材に引っ張り力を作用させて、前記紐状部材及び連結部材を介してスクリーン本体の側部を側方へ引っ張るものを用いたものである。
【００１３】
このスクリーン装置では、スクリーン本体を巻取り手段から繰り出して、スクリーン本体を上下方向に展開させることになるが、壁付型スクリーン装置では、保持ロッドの自重をスクリーン本体に作用させ、また自立型スクリーン装置では、巻取り手段の巻取り力をスクリーン本体に作用させることによって、上下方向に弛まないようにスクリーン本体を展開できる。一方、スクリーン本体を繰り出したときに、紐状部材も巻取り手段から繰り出され、巻取り手段と保持ロッド間における引っ張り力の一部が紐状部材に作用して、連結部材を介してスクリーン本体の両側部に側方への引っ張り力が作用し、スクリーン本体を左右方向に弛みなく展開できる。また、巻取り手段によるスクリーン本体の巻取り長さは、紐状部材の巻取り長さよりも短いことから、スクリーン本体を途中まで展開させて使用する場合には、スクリーン本体を全展開させた場合よりも紐状部材が弛もうとするが、本発明では紐状部材の弛みを弛み吸収手段の弾性により吸収するので、スクリーン本体を途中まで展開させて使用する場合でも、紐状部材に引っ張り力を作用させて、スクリーン本体を上下方向及び左右方向に弛みなく展開できる。しかも、弾性により紐状部材の弛みを吸収するので、特許文献１、２記載のようにアクチュエータを用いる場合よりも、スクリーン装置を安価に製作できる。また、特許文献３記載のように錘を用いないので、スクリーン装置が重たくなることもない。
【００１４】
ここで、前記弛み吸収手段として、前記保持ロッドに内装されて、一端部を保持ロッドに連結した付勢手段と、前記付勢手段による保持ロッドの長さ方向外方側への引っ張り力を紐状部材の上下方向への引っ張り力に切り替える切替手段とを備えることが好ましい実施の形態である。この場合には、弛み吸収手段を構成する付勢手段及び切替手段を保持ロッド内に組み付けて、外部に露出しないように構成できるので、弛み吸収手段を設けることによる、スクリーン装置の外観低下を防止できる。
【００１５】
前記スクリーン本体の繰出側端部の両側端部を側方へ引っ張る左右１対のテンションアジャスト手段であって、前記保持ロッドの端部に螺合した調整ネジと、前記保持ロッドの端部内に左右方向に移動自在に設けた操作部材とを備え、前記操作部材を保持ロッド内に挿入したスクリーン本体の繰出側端部の側端部に連結固定するとともに、前記操作部材を調整ネジに連結し、前記調整ネジの回転操作により、前記スクリーン本体の繰出側端部の側端部を側方へ引っ張る左右１対のテンションアジャスト手段を設け、前記弛み吸収手段として、前記保持ロッドに内装されて、一端部を操作部材及び調整ネジを介して保持ロッドに連結した付勢手段と、前記付勢手段による保持ロッドの長さ方向への引っ張り力を紐状部材の上下方向への引っ張り力に切り替える切替手段とを備えることが好ましい実施の形態である。この場合には、操作部材の左右方向位置を調整ネジで調整することで、スクリーン本体の繰出側端部の左右両端部を側方へ引っ張って、スクリーン本体の繰出側端部に引っ張り力を作用させることにより、スクリーン本体の縦方向の細かい皺を防ぐことができる。
【００１６】
前記切替手段として、前記操作部材に左右方向に移動自在で且つスクリーン本体の巻取り方向へ移動不能にスライド部材を設け、前記スライド部材に紐状部材の他端部を連結するとともに、前記スライド部材に付勢手段の他端部を連結することが好ましい実施の形態である。この場合には、テンションアジャスト手段の操作部材を有効活用して、サイドテンション手段のスライド部材を組付けることがきる。
【００１７】
前記紐状部材を長さ調整可能にスライド部材に連結する連結手段を設けることが好ましい実施の形態である。このように構成することで、経年変化により紐状部材が伸びるなどして、紐状部材に作用する引っ張り力が低下した場合でも、連結手段により紐状部材の長さを調整することで、紐状部材に作用する引っ張り力を容易に調整することができる。
【発明の効果】
【００１８】
本発明に係るスクリーン装置によれば、サイドテンション手段を設けているので、スクリーン本体を上下方向及び左右方向に弛まないように展開できる。また、弛み吸収手段の弾性により紐状部材の弛みを吸収するので、スクリーン本体を途中まで展開させて使用する場合でも、紐状部材に引っ張り力を作用させて、スクリーン本体を上下方向及び左右方向に弛みなく展開できる。しかも、弾性により紐状部材の弛みを吸収するので、特許文献１、２記載のようにアクチュエータを用いる場合よりも、スクリーン装置を安価に製作できる。また、特許文献３記載のように錘を用いないので、スクリーン装置が重たくなることもない。
【図面の簡単な説明】
【００１９】
【図１】スクリーン装置の正面図
【図２】テンションアジャスト手段及びサイドテンション手段の斜視図
【図３】保持ロッドを省略した状態でのテンションアジャスト手段及びサイドテンション手段の正面図
【図４】図２のIV-IV線断面図
【図５】図３のV-V線断面図
【図６】図３のVI-VI線断面図
【図７】他の構成のサイドテンション手段の説明図
【図８】他の構成のサイドテンション手段の説明図
【図９】他の構成のサイドテンション手段の説明図
【図１０】他の構成のスクリーン装置の正面図
【発明を実施するための形態】
【００２０】
以下、本発明を実施するための形態について、図面を参照しながら説明する。
図１、図２に示すように、スクリーン装置１は、天井や壁上部に設置される壁付型スクリーン装置で、柔軟性を有するスクリーン本体２と、スクリーン本体２を上下方向に展開可能に巻き取る巻取り手段３と、スクリーン本体２及び巻取り手段３を収容するケーシング４と、スクリーン本体２の下端部（繰出側端部）に固定した保持ロッド５と、スクリーン本体２の繰出側端部の両側端部を側方へ引っ張る左右１対のテンションアジャスト手段１０と、スクリーン本体２の両側部に側方への引っ張り力を作用させる左右１対のサイドテンション手段２０とを備えたものである。
【００２１】
スクリーン本体２は、プロジェクタ等から投射した画像を反射して表示するもので、可撓性を有する周知の素材からなる反射型スクリーンで構成されている。スクリーン本体２の左右の側縁は、スクリーン本体２の左右方向の長さが高さ方向の途中部に行くにしたがって幅狭になるように、円弧状に切り欠かれている。ただし、透過型のスクリーン本体を備えたスクリーン装置に対しても本発明を適用できる。
【００２２】
保持ロッド５は、中空のパイプ部材で構成され、その長さはスクリーン本体２の下端部の全長よりもやや長く設定され、両端部がスクリーン本体２の下端部から左右両側へ突出するように構成されている。保持ロッド５の上部にはその全長にわたって左右方向に延びるスリット６が形成され、保持ロッド５は、スリット６にスクリーン本体２の下端部を挿入固定することで、スクリーン本体２の下端部に取り付けられている。このスクリーン装置１では、スクリーン本体２を展開した状態で、保持ロッド５の自重によりスクリーン本体２に下方への張力が付与されて、スクリーン本体２を弛みなく保持ロッド５展開できるように構成されている。なお、保持ロッド５としては、スクリーン本体２の下端部を直線状に保形でき、しかもスクリーン本体２に対して下方への張力を付与可能な重さのものであれば、パイプ状以外の棒状や板状の部材を採用することもできる。
【００２３】
巻取り手段３は、スクリーン本体２及び紐状部材２１の巻取りロール３ａと、巻取りロール３ａを回転駆動するモータを含む駆動手段３ｂとを備えた周知の構成のものである。ただし、巻取り手段３としては、スクリーン本体２及び紐状部材２１の巻取りロール３ａと、巻取りロール３ａを巻取り方向に付勢するコイルバネとを備えた手動式のものを採用することも可能である。
【００２４】
次に、左右のテンションアジャスト手段１０について説明するが、両者は左右対称の構成なので右側のテンションアジャスト手段１０について説明する。
【００２５】
図１〜図６に示すように、テンションアジャスト手段１０について説明すると、スクリーン本体２から右方へ突出する保持ロッド５内には操作部材１１が左右方向に移動可能に設けられ、操作部材１１の左端部にはスクリーン本体２の下端部の右部を保持するための断面Ｕ字状の保持部１１ａが形成されている。スクリーン本体２の下端縁の右端部には補強板１２が固定され、スクリーン本体２の下端縁の右端部は補強板１２とともに操作部材１１の保持部１１ａに内嵌されて、取付ボルト１３で着脱可能に保持部１１ａに固定されている。操作部材１１の右端部は支持壁１１ｂが立設され、支持壁１１ｂには右側へ略水平に延びる調整ネジ１４が固定されている。保持ロッド５の右端部にはキャップ部材１５２５が取り付けられ、キャップ部材１５には調整ネジ１４に螺合するネジ孔１６ａを有する調整摘み１６が回転自在に取り付けられ、調整摘み１６を回転操作することで操作部材１１を左右方向に位置調整して、スクリーン本体２の下端縁に対する左右方向への引っ張り力を調整できるように構成されている。
【００２６】
次に、左右のサイドテンション手段２０について説明するが、両者は左右対称の構成なので右側のサイドテンション手段２０について説明する。
【００２７】
サイドテンション手段２０は、スクリーン本体２の側方に上下方向に配置されて、一端部が巻取り手段３に巻取り可能に連結された紐状部材２１と、紐状部材２１の高さ方向の途中部がスクリーン本体２の中央部側へ湾曲するように、紐状部材２１をスクリーン本体２の側部に連結する連結部材２２と、巻取り手段３と保持ロッド５間における紐状部材２１の弛みを弾性により吸収する弛み吸収手段２３とを備え、巻取り手段３と保持ロッド５間において紐状部材２１に引っ張り力を作用させて、紐状部材２１及び連結部材２２を介してスクリーン本体２の側部を側方へ引っ張って、左右のサイドテンション手段２０の協働により、スクリーン本体２の左右方向の弛みを防止するものである。
【００２８】
紐状部材２１は、可撓性を有する細長い紐状の部材であれば、ワイヤやチェーン、合成樹脂繊維や天然繊維からなるロープなどで構成することもできる。特に、安価に入手でき、取り扱いが容易で、しかも伸びが少ないことから、ワイヤで構成することが好ましい。
【００２９】
連結部材２２は、帯紐の一端部を折り返して形成したリング部２２ａと、帯紐の他端部に形成したスクリーン本体２の側部への取付部２２ｂとを有し、スクリーン本体２の側部に上下方向に間隔をあけて複数個取付けられている。連結部材２２のリング部２２ａには紐状部材２１が挿通されて、スクリーン本体２の側縁と紐状部材２１間に予め設定された間隔が形成されるように構成され、紐状部材２１に作用する引っ張り力を複数の連結部材２２にバランスよく分散させることによって、スクリーン本体２の側部に対して、外方側への引っ張り力が一様に作用するように構成されている。なお、連結部材２２の長さや幅、配設ピッチ等は、任意に設定することができる。
【００３０】
弛み吸収手段２３は、操作部材１１の上側に配置されて、右側端部を操作部材１１に連結した付勢手段２４と、付勢手段２４による右方への引っ張り力を紐状部材２１の上下方向への引っ張り力に切り替えるとを備えている。
【００３１】
付勢手段２４は、引っ張りコイルバネで構成され、その右端部は操作部材１１に立設固定した固定ピン２６に連結されている。ただし、固定ピン２６は、必ずしも操作部材１１に立設固定する必要はなく、保持ロッド５の底部に立設固定することも可能である。
【００３２】
切替手段２５は、操作部材１１に左右方向に移動自在で且つ上方へ移動不能に組み付けたスライド部材２７と、スライド部材２７の上部の上側に嵌合される下向きＵ字状の挟持部材２８と、スライド部材２７の上部の下側に嵌合される板状の締付板２９とを備えている。
【００３３】
スライド部材２７は、断面が下向きＵ字状の本体部２７ａと、本体部２７ａの下端部から前後両側へ略水平に突出する係止部２７ｂとを有し、テンションアジャスト手段１０の操作部材１１に形成した左右方向に細長いスリット１１ｃに下側から組み付けられて、スリット１１ｃに沿って左右方向に移動自在に案内されるとともに、係止部２７ｂが操作部材１１の底面に当接することで、操作部材１１よりも上方へ移動が規制されている。
【００３４】
スライド部材２７の上部には右側へ突出する連結部２７ｃが形成され、連結部２７ｃに形成した連結孔２７ｄには付勢手段２４の左端部が連結されている。挟持部材２８には紐状部材２１の挿通孔２８ａが形成され、本体部２７ａの上部及び挟持部材２８には固定ネジ３０の取付孔２７ｅ、２８ｂが形成され、締付板２９には固定ネジ３０が螺合するネジ孔２９ａが形成されている。紐状部材２１は、挟持部材２８と本体部２７ａ間へ左側から挿通されて、挟持部材２８の挿通孔２８ａから外部へ導出され、固定ネジ３０を締付板２９に締結することで、本体部２７ａの上部と挟持部材２８間に紐状部材２１が挟持され、固定ネジ３０を緩めることで、紐状部材２１の長さを調整できるように構成されている。なお、スライド部材２７の本体部２７ａの上部と挟持部材２８と締付板２９とで、紐状部材２１を長さ調整可能にスライド部材２７に連結する連結手段が構成されている。
【００３５】
このスクリーン装置１では、スクリーン本体２を巻取り手段３から繰り出して、スクリーン本体２を展開させることになり、展開状態では、保持ロッド５の自重により、スクリーン本体２に下側への引っ張り力が作用して、スクリーン本体２が上下方向に弛まないように張設されることになる。一方、巻取り手段３からのスクリーン本体２の繰り出しに動作に連動して、巻取り手段３から紐状部材２１が繰り出され、展開状態において、保持ロッド５の自重の一部が付勢手段２４に作用して、付勢手段２４を介して紐状部材２１が引っ張られ、紐状部材２１に作用する引っ張り力により、複数の連結部材２２を介してスクリーン本体２に左右方向への引っ張り力が作用して、スクリーン本体２の左右方向の皺や弛みを除去して、スクリーン本体２の平面度を向上できることになる。しかも、付勢手段２４により紐状部材２１に引っ張り力を作用させるので、巻取り手段３によるスクリーン本体２と紐状部材２１の巻取り速度に差がある場合でも、付勢手段２４が伸縮して差を吸収できるので、例えばスクリーン本体２を途中まで展開した場合でも、紐状部材２１に引っ張り力を作用させて、スクリーン本体２を弛みなく展開できる。
【００３６】
また、サイドテンション手段２０の切替手段２５及び付勢手段２４を保持ロッド５に内装しているので、スクリーン装置１の外観を向上できる。更に、切替手段２５及び付勢手段２４をテンションアジャスト手段１０の操作部材１１に取り付けているので、切替手段２５及び付勢手段２４を操作部材１１に予め組み付けた状態で、これを保持ロッド５に組み付けることが可能となり、サイドテンション手段２０の組付性を向上できる。
【００３７】
次に、前記サイドテンション手段２０の構成を部分的に変更した他の実施形態について説明する。なお、前記実施形態と同一部材には同一符号を付してその詳細な説明を省略する。
（１）図７に示すサイドテンション手段２０Ａの弛み吸収手段２３Ａのように、操作部材１１又は保持ロッド５に前後方向のガイドピン３１を設け、ガイドピン３１を介して紐状部材２１の下端部をスライド部材２７に連結してもよい。この場合には、スライド部材２７に対して上方への力が作用しないので、スライド部材２７の左右方向への移動が円滑になるので好ましい。また、このようにガイドピン３１を設ける場合には、このガイドピン３１が切替手段として機能するので、切替手段２５を省略して、紐状部材２１の下端部を付勢手段２４に直接的に連結するように構成することも可能である。また、図８に示すサイドテンション手段２０Ｂの弛み吸収手段２３Ｂのように、付勢手段２４の一端部に紐状部材２１の下端部を固定し、付勢手段２４の他端部を固定ピン３２を介して保持ロッド５の底部に連結することも可能である。
【００３８】
（２）図９に示すサイドテンション手段２０Ｃの弛み吸収手段２３Ｃのように、紐状部材２１の下端部又は途中部に付勢手段２４を設け、付勢手段２４の下端部又は紐状部材２１の下端部を保持ロッド５に固定した固定ピン３３に連結することもできる。また、紐状部材２１として伸縮可能な弾性体からなるものを用い、該紐状部材の下端部を保持ロッド５又は操作部材１１に連結して、切替手段２５及び付勢手段２４を省略することも可能である。
【００３９】
なお、本実施の形態では、壁付型スクリーン装置１に対して本発明を適用した場合について説明したが、自立型スクリーン装置に対しても本発明を適用できる。この自立型スクリーン装置は、基本的には、前記スクリーン装置１を倒立状に配置させたものと同様に構成できる。具体的には、図１０に示す自立型スクリーン装置４０のように、スクリーン本体２及び巻取り手段３を収容するケーシング４を床に設置し、駆動手段３ｂを省略し、バネ部材でスクリーン本体２を巻き取るように構成し、巻取りロール３ａからスクリーン本体２を上方へ繰り出して、スクリーン本体２を展開し、スクリーン本体２の背面側においてケーシング４の左右方向の中央部に支持ロッド４１を着脱可能に立設し、保持ロッド５の途中部を支持ロッド４１の上端部に引っ掛けて、スクリーン本体２を展開状態に保持することになる。また、テンションアジャスト手段１０及びサイドテンション手段２０の弛み吸収手段２３は、前記実施の形態と同様に、保持ロッド５の両端部に内装することになる。このスクリーン装置４０では、前記スクリーン装置１とは異なり、展開したスクリーン本体２には保持ロッド５の自重ではなく、巻取り手段３の巻取り力が作用することになり、この巻取り手段３の巻取り力の一部を用いて付勢手段２４を伸長させるとともに紐状部材２１に引っ張り力を作用させて、スクリーン本体２の側部を側方へ引っ張って、スクリーン本体２を左右方向に弛みなく展開することになる。なお、このスクリーン装置４０に対しても、サイドテンション手段２０に代えてサイドテンション手段２０Ａ〜２０Ｃを採用することも可能である。
【００４０】
以上、本発明の実施形態について説明したが、本発明は前述した実施形態に何ら限定されるものではなく、本発明の要旨を逸脱しない範囲においてその構成を変更し得ることは勿論である。
【符号の説明】
【００４１】
１      スクリーン装置        ２      スクリーン本体
３      巻取り手段            ３ａ    巻取りロール
３ｂ    駆動手段              ４      ケーシング
５      保持ロッド            ６      スリット
１０    テンションアジャスト手段
１１    操作部材              １１ａ  保持部
１１ｂ  支持壁                １１ｃ  スリット
１２    補強板                １３    取付ボルト
１４    調整ネジ              １５    キャップ部材
１６    調整摘み              １６ａ  ネジ孔
２０    サイドテンション手段  ２１    紐状部材
２２    連結部材              ２２ａ  リング部
２２ｂ  取付部                ２３    弛み吸収手段
２４    付勢手段              ２５    切替手段
２６    固定ピン              ２７    スライド部材
２７ａ  本体部                ２７ｂ  係止部
２７ｃ  連結部                ２７ｄ  連結孔
２７ｅ  取付孔                ２８    挟持部材
２８ａ  挿通孔                ２８ｂ  取付孔
２９    締付板                ２９ａ  ネジ孔
３０    固定ネジ
２０Ａ  サイドテンション手段  ２３Ａ  弛み吸収手段
３１    ガイドピン
２０Ｂ  サイドテンション手段  ２３Ｂ  弛み吸収手段
３２    固定ピン
２０Ｃ  サイドテンション手段  ２３Ｃ  弛み吸収手段
３３    固定ピン
４０    自立型スクリーン装置  ４１    支持ロッド
【図１】
2014006307.tif 000003
【図２】
2014006307.tif 000004
【図３】
2014006307.tif 000005
【図４】
2014006307.tif 000006
【図５】
2014006307.tif 000007
【図６】
2014006307.tif 000008
【図７】
2014006307.tif 000009
【図８】
2014006307.tif 000010
【図９】
2014006307.tif 000011
【図１０】
2014006307.tif 000012